(57)【要約】【課題】携帯端末装置と無線ネットワーク機器との無線接続の操作を低減させることを可能にする。【解決手段】モバイル端末１との間で無線通信を行うアクセスポイント４０、ユーザーに予め付与されているネットワーク接続のためのＳＳＩＤ及びパスフレーズを含むネットワークデータが設定されているモバイル端末１に対応するユーザーのユーザーＩＤを受け付けるユーザー認証要求部１１と、受け付けられたユーザーＩＤに対応して設定されたネットワークデータを取得するネットワークデータ取得部１２と、取得されたネットワークデータをアクセスポイント４０に設定する設定部１３と、を有する。【選択図】図１
2018029220.tif 000002
【特許請求の範囲】
【請求項１】
携帯端末装置との間で無線通信を行う無線通信手段と、
ユーザーに予め付与されているネットワーク接続のための識別名及び認証情報を含むネットワーク接続情報が設定されている前記携帯端末装置に対応する前記ユーザーのユーザー識別情報を受け付ける受付手段と、
前記受付手段により受け付けられた当該ユーザー識別情報に対応して設定されたネットワーク接続情報を取得する取得手段と、
前記取得手段により取得されたネットワーク接続情報を前記無線通信手段に設定する設定手段と、
を有することを特徴とする無線ネットワーク機器。
【請求項２】
前記受付手段により受け付けられたユーザー識別情報により当該ユーザーの認証を要求する認証要求手段を有し、
前記取得手段は、ユーザー認証が成功した場合にネットワーク接続情報を取得することを特徴とする請求項１に記載の無線ネットワーク機器。
【請求項３】
前記無線通信手段は、複数のネットワーク接続情報が設定可能であることを特徴とする請求項１に記載の無線ネットワーク機器。
【請求項４】
請求項１乃至３のいずれか１項に記載の無線ネットワーク機器を搭載したことを特徴とする画像形成装置。
【請求項５】
１又は複数の無線ネットワーク機器と、
ユーザー識別情報に対応して設定されたネットワーク接続情報であって当該ユーザーに予め付与されているネットワーク接続のための識別名及び認証情報を含むネットワーク接続情報を記憶する記憶手段と、
いずれかの前記無線ネットワーク機器からのユーザー識別情報が指定されたネットワーク接続情報取得要求に応じて、前記記憶手段を参照することにより当該ユーザー識別情報に対応して設定されたネットワーク接続情報を返信するサーバーと、
ユーザーに予め付与されているネットワーク接続情報が設定されている携帯端末装置と、
を有し、
前記各無線ネットワーク機器は、
携帯端末装置との間で無線通信を行う無線通信手段と、
前記携帯端末装置に対応するユーザーのユーザー識別情報を受け付ける受付手段と、
前記受付手段により受け付けられた当該ユーザー識別情報を指定したネットワーク接続情報取得要求を送信することによって前記サーバーから返信されてくるネットワーク接続情報を取得する取得手段と、
前記取得手段により取得されたネットワーク接続情報を前記無線通信手段に設定する設定手段と、
を有することを特徴とする無線ネットワークシステム。
【請求項６】
携帯端末装置との間で無線通信を行う無線通信手段を有する無線ネットワーク機器に搭載されたコンピュータを、
ユーザーに予め付与されているネットワーク接続のための識別名及び認証情報を含むネットワーク接続情報が設定されている前記携帯端末装置に対応する前記ユーザーのユーザー識別情報を受け付ける受付手段、
前記受付手段により受け付けられた当該ユーザー識別情報に対応して設定されたネットワーク接続情報を取得する取得手段、
前記取得手段により取得されたネットワーク接続情報を前記無線通信手段に設定する設定手段、
として機能させるためのプログラム。
【発明の詳細な説明】
【技術分野】
【０００１】
本発明は、無線ネットワーク機器、画像形成装置、無線ネットワークシステム及びプログラムに関する。
【背景技術】
【０００２】
今日では、Ｗｉ−Ｆｉ  Ｄｉｒｅｃｔ（登録商標）に対応した画像形成装置が登場している。これにより、画像形成装置が設置された拠点に異なる場所から訪問してきたゲストに対して、その拠点に設置のアクセスポイント経由ではなく画像形成装置に直接接続させて利用させることができる。すなわち、拠点のネットワーク内のアクセスポイントに接続するための情報をゲストに知らせる必要がなく、かつ、拠点のネットワーク内のアクセスポイントに接続させる必要がない、というセキュリティ上の長所がある。
【先行技術文献】
【特許文献】
【０００３】
【特許文献１】特許第５８２２０３９号明細書
【発明の概要】
【発明が解決しようとする課題】
【０００４】
複数の拠点を次々と移動するゲストが、携帯する携帯端末を各拠点に設置されたアクセスポイントを介して画像形成装置とネットワーク接続すると、携帯端末に各画像形成装置と接続するための接続情報（アクセスポイントの識別名及びパスフレーズ）が保存されることになる。例えば、２０拠点の各画像形成装置と接続するためには、２０の接続情報が携帯端末に保存され、次回同じ拠点に来た際には、保存した接続情報を用いて画像形成装置との接続が可能となる。しかし、初めて来た拠点の画像形成装置を利用する場合、ユーザーは、画像形成装置の接続情報を入手し、携帯端末と画像形成装置を操作して接続処理を行う必要があり、操作が煩雑となる。
【０００５】
このような接続操作手順の増大を回避するために画像形成装置に共通した認証情報を各画像形成装置に設定することも考えられる。そうすれば、モバイル端末に１つの共通の認証情報のみを設定しておけばよい。しかし、認証情報が流出した場合を考慮するとセキュリティ上好ましいものではない。
【０００６】
本発明は、携帯端末装置と無線ネットワーク機器との無線接続の操作を低減させることを目的とする。
【課題を解決するための手段】
【０００７】
本発明に係る無線ネットワーク機器は、携帯端末装置との間で無線通信を行う無線通信手段と、ユーザーに予め付与されているネットワーク接続のための識別名及び認証情報を含むネットワーク接続情報が設定されている前記携帯端末装置に対応する前記ユーザーのユーザー識別情報を受け付ける受付手段と、前記受付手段により受け付けられた当該ユーザー識別情報に対応して設定されたネットワーク接続情報を取得する取得手段と、前記取得手段により取得されたネットワーク接続情報を前記無線通信手段に設定する設定手段と、を有することを特徴とする。
【０００８】
また、前記受付手段により受け付けられたユーザー識別情報により当該ユーザーの認証を要求する認証要求手段を有し、前記取得手段は、ユーザー認証が成功した場合にネットワーク接続情報を取得することを特徴とする。
【０００９】
また、前記無線通信手段は、複数のネットワーク接続情報が設定可能であることを特徴とする。
【００１０】
本発明に係る画像形成装置は、上記各発明に記載の無線ネットワーク機器を搭載したことを特徴とする。
【００１１】
本発明に係る無線ネットワークシステムは、１又は複数の無線ネットワーク機器と、ユーザー識別情報に対応して設定されたネットワーク接続情報であって当該ユーザーに予め付与されているネットワーク接続のための識別名及び認証情報を含むネットワーク接続情報を記憶する記憶手段と、いずれかの前記無線ネットワーク機器からのユーザー識別情報が指定されたネットワーク接続情報取得要求に応じて、前記記憶手段を参照することにより当該ユーザー識別情報に対応して設定されたネットワーク接続情報を返信するサーバーと、ユーザーに予め付与されているネットワーク接続情報が設定されている携帯端末装置と、を有し、前記各無線ネットワーク機器は、携帯端末装置との間で無線通信を行う無線通信手段と、前記携帯端末装置に対応するユーザーのユーザー識別情報を受け付ける受付手段と、前記受付手段により受け付けられた当該ユーザー識別情報を指定したネットワーク接続情報取得要求を送信することによって前記サーバーから返信されてくるネットワーク接続情報を取得する取得手段と、前記取得手段により取得されたネットワーク接続情報を前記無線通信手段に設定する設定手段と、を有することを特徴とする。
【００１２】
本発明に係るプログラムは、携帯端末装置との間で無線通信を行う無線通信手段を有する無線ネットワーク機器に搭載されたコンピュータを、ユーザーに予め付与されているネットワーク接続のための識別名及び認証情報を含むネットワーク接続情報が設定されている前記携帯端末装置に対応する前記ユーザーのユーザー識別情報を受け付ける受付手段、前記受付手段により受け付けられた当該ユーザー識別情報に対応して設定されたネットワーク接続情報を取得する取得手段、前記取得手段により取得されたネットワーク接続情報を前記無線通信手段に設定する設定手段、として機能させる。
【発明の効果】
【００１３】
請求項１に記載の発明によれば、携帯端末装置と無線ネットワーク機器との無線接続の操作を低減させることができる。
【００１４】
請求項２に記載の発明によれば、認証されたユーザーのみがユーザーの携帯端末と無線ネットワーク装置とを接続させることができる。
【００１５】
請求項３に記載の発明によれば、複数の携帯端末装置と同時に無線接続することができる。
【００１６】
請求項４に記載の発明によれば、携帯端末装置と画像形成装置との無線接続の操作を低減させることができる。
【００１７】
請求項５に記載の発明によれば、携帯端末装置と無線ネットワーク機器との無線接続の操作を低減させることができる。
【００１８】
請求項６に記載の発明によれば、携帯端末装置と無線ネットワーク機器との無線接続の操作を低減させることができる。
【図面の簡単な説明】
【００１９】
【図１】本発明に係る無線ネットワークシステムの一実施の形態を示した全体構成及び各装置のブロック構成を示した図である。
【図２】本実施の形態における画像形成装置のハードウェア構成図である。
【図３】本実施の形態におけるユーザー情報記憶部に予め設定登録されるユーザー情報のデータ構成例を示した図である。
【図４】本実施の形態における無線接続処理を示したフローチャートである。
【図５】マルチＳＳＩＤ対応のアクセスポイントへのネットワークデータの設定例を示した図である。
【発明を実施するための形態】
【００２０】
以下、図面に基づいて、本発明の好適な実施の形態について説明する。
【００２１】
図１は、本発明に係る無線ネットワークシステムの一実施の形態を示した全体構成及び各装置のブロック構成を示した図である。図１には、無線ネットワーク機器の一例としての画像形成装置１０と、画像形成装置１０のユーザーにより携帯されるモバイル端末１と、ディレクトリサーバー２０と、が示されている。ある企業は、複数拠点を有し、各拠点に画像形成装置１０を設置している。各画像形成装置１０は、以下に説明する本実施の形態において特徴的な構成を有していればよいので、図１には便宜的に１台のみ図示した。なお、本実施の形態では、複数の拠点に画像形成装置１０をそれぞれ設置する場合を想定して説明するが、一拠点に複数の画像形成装置１０を設置するようにしてもよい。
【００２２】
ディレクトリサーバー２０は、各拠点の各画像形成装置１０とネットワーク２を介して接続される。モバイル端末１は、ユーザーにより携帯される携帯端末装置である。本実施の形態では、スマートフォンを想定して説明するが、画像形成装置１０とＷｉ−Ｆｉ  Ｄｉｒｅｃｔにより無線通信可能な携帯端末装置であれば、例えばタブレット端末など他の携帯端末装置でもよい。
【００２３】
図２は、本実施の形態における画像形成装置１０のハードウェア構成図である。画像形成装置１０は、例えばプリント機能、コピー機能、スキャナ機能等各種機能を搭載した複合機であり、コンピュータを内蔵している。図２において、ＣＰＵ３１は、ＲＯＭ３９に格納されたプログラムにしたがってスキャナ３４やプリンタエンジン３６等本装置に搭載された各種機構の動作制御を行う。アドレスデータバス３２は、ＣＰＵ３１の制御対象となる各種機構と接続してデータの通信を行う。操作パネル３３は、ユーザーからの指示の受け付け、情報の表示を行う。スキャナ３４は、ユーザーがセットした原稿を読み取り、電子データとしてＨＤＤ（Ｈａｒｄ  Ｄｉｓｋ  Ｄｒｉｖｅ）３５等に蓄積する。ＨＤＤ３５は、スキャナ３４を使用して読み取った電子文書などを格納する。プリンタエンジン３６は、ＣＰＵ３１で実行される制御プログラムからの指示に従い出力用紙上に画像を印字する。ネットワークインタフェース（Ｉ／Ｆ）３７は、ネットワーク２を接続し、本実施の形態では、ディレクトリサーバー２０との間のデータ送受信などに利用される。ＲＡＭ３８は、プログラム実行時のワークメモリや電子データ送受信時の通信バッファとして利用される。ＲＯＭ３９は、本装置の制御や電子データの暗号、電子データの送受信に関する各種プログラムが格納されている。各種プログラムが実行されることで後述する各構成要素が所定の処理機能を発揮する。アクセスポイント４０は、アクセスポイント機能を搭載した無線通信手段であり、モバイル端末１との間でＷｉ−Ｆｉ  Ｄｉｒｅｃｔにより無線通信を行う。
【００２４】
モバイル端末１は、コンピュータを内蔵し、ＣＰＵ、ＲＯＭ、ＲＡＭ、ストレージ、タッチパネル、ネットワークインタフェース等を搭載する。ディレクトリサーバー２０は、サーバーコンピュータにより形成され、ＣＰＵ、ＲＯＭ、ＲＡＭ、ＨＤＤ、ネットワークインタフェース等を搭載する。モバイル端末１及びディレクトリサーバー２０は、従前から存在するハードウェア構成により実現してよい。
【００２５】
図１に戻り、本実施の形態における画像形成装置１０は、ユーザー認証要求部１１、ネットワークデータ取得部１２及び設定部１３を有している。なお、本実施の形態において説明に用いない構成要素は図１から省略している。ユーザー認証要求部１１は、ユーザーのユーザー識別情報（以下、「ユーザーＩＤ」）及びパスワードを受け付ける受付手段、更に当該ユーザーの認証をディレクトリサーバー２０に要求する認証要求手段として機能する。ネットワークデータ取得部１２は、ユーザー認証要求部１１により受け付けられたユーザーＩＤに対応して設定されたアクセスポイント認証情報をディレクトリサーバー２０から取得する取得手段として機能する。設定部１３は、ネットワークデータ取得部１２により取得されたアクセスポイント認証情報をアクセスポイント４０に設定する設定手段として機能する。
【００２６】
画像形成装置１０における各構成要素１１〜１３は、画像形成装置１０に搭載されたコンピュータと、コンピュータに搭載されたＣＰＵ３１で動作するプログラムとの協調動作により実現される。
【００２７】
本実施の形態におけるディレクトリサーバー２０は、認証処理部２１、ネットワークデータ送信部２２及びユーザー情報記憶部２３を有している、認証処理部２１は、画像形成装置１０からのユーザー認証要求に応じてユーザー認証を行う。ネットワークデータ送信部２２は、画像形成装置１０からのネットワークデータ送信要求に応じてネットワークデータを返信する。
【００２８】
図３は、本実施の形態におけるユーザー情報記憶部２３に予め設定登録されるユーザー情報のデータ構成例を示した図である。ユーザー情報は、ユーザー認証データとネットワークの接続のための情報であるネットワークデータとが対応付けして設定され記憶されている。ユーザー認証データは、ユーザー認証の際に参照され、ユーザーのユーザーＩＤ及びパスワードの組により構成される。更に、ユーザーが所持するＩＣカードの識別情報を追加した組として構成されてもよい。ネットワークデータは、アクセスポイント接続情報として設定されたデータであり、アクセスポイントを識別する情報であるＳＳＩＤ（Ｓｅｒｖｉｃｅ  Ｓｅｔ ＩＤｅｎｔｉｆｉｅｒ）及びネットワーク接続するための認証情報としてのパスフレーズの組により構成される。この設定例から明らかなように、ネットワークデータはユーザー毎に設定される。本実施の形態では、ユーザー毎に異なる内容のネットワークデータを関連付けて設定することを想定しているが、複数のユーザーに重複した設定を関連付けることを許容するようにしてもよい。
【００２９】
ディレクトリサーバー２０における各構成要素２１，２２は、ディレクトリサーバー２０を形成するコンピュータと、コンピュータに搭載されたＣＰＵで動作するプログラムとの協調動作により実現される。また、ユーザー情報記憶部２３は、ディレクトリサーバー２０に搭載されたＨＤＤにて実現される。あるいは、ＲＡＭ又は外部にある記憶手段をネットワーク経由で利用してもよい。
【００３０】
また、本実施の形態で用いるプログラムは、通信手段により提供することはもちろん、ＣＤ−ＲＯＭやＵＳＢメモリ等のコンピュータ読み取り可能な記録媒体に格納して提供することも可能である。通信手段や記録媒体から提供されたプログラムはコンピュータにインストールされ、コンピュータのＣＰＵがプログラムを順次実行することで各種処理が実現される。
【００３１】
次に、本実施の形態においてユーザーがモバイル端末１を画像形成装置１０に無線接続するまでの処理について図４に示したフローチャートを用いて説明する。なお、無線接続処理の開始時点において画像形成装置１０のアクセスポイント４０には、ネットワークデータ（ＳＳＩＤ及びパスフレーズの組）が何も設定されていないものとしてもよいし、画像形成装置１０に固有のＳＳＩＤ及びパスフレーズの組が設定されていてもよい。これは、直前に利用したユーザーのログアウト時、若しくはユーザーＩＤ取得時に初期化するようにしてもよい。
【００３２】
モバイル端末１を画像形成装置１０とＷｉ−Ｆｉ  Ｄｉｒｅｃｔにより無線接続するために、ユーザーは、ユーザー認証を事前に受けることになる。このため、ユーザーは、画像形成装置１０に社員証をリーダー（図示せず）にかざす。リーダーが社員証に記録されているユーザーＩＤを読み取ると、画像形成装置１０は、パスワード入力画面を操作パネル３３に表示して、パスワードをユーザーに入力させる。ユーザーがパスワードを入力すると、ユーザー認証要求部１１は、ユーザーＩＤ及びパスワードを受け付け（ステップ１０１）、その受け付けたユーザーＩＤ及びパスワードをディレクトリサーバー２０へ送信することでユーザー認証を要求する（ステップ１０２）。
【００３３】
ディレクトリサーバー２０における認証処理部２１は、認証要求が送られてくると、認証要求に指定されたユーザーＩＤ及びパスワードをユーザー情報記憶部２３のユーザー認証データと照合することでユーザー認証を行う。そして、認証結果を認証要求元の画像形成装置１０へ返送する。なお、ここでは、認証に成功したものとして説明を続ける。
【００３４】
ユーザー認証要求部１１が認証成功の通知をディレクトリサーバー２０から受信すると（ステップ１０３）、続いて、ネットワークデータ取得部１２は、ユーザーＩＤを含むネットワークデータ送信要求をディレクトリサーバー２０へ送信する（ステップ１０４）。
【００３５】
ディレクトリサーバー２０におけるネットワークデータ送信部２２は、送信要求が送られてくると、送信要求に指定されたユーザーＩＤに対応したネットワークデータをユーザー情報記憶部２３から読み出し、送信要求元の画像形成装置１０へ送信する。
【００３６】
ネットワークデータ取得部１２がディレクトリサーバー２０から送信されてきたネットワークデータを受信すると（ステップ１０５）、設定部１３は、そのネットワークデータをアクセスポイント４０に設定する（ステップ１０６）。
【００３７】
ここで、ユーザーが携帯するモバイル端末１には、当該ユーザーに予め付与されているネットワークデータが事前に設定されている。例えば、ユーザー認証されたユーザーのユーザーＩＤが“ｕｓｅｒＡ”の場合、アクセスポイント４０のＳＳＩＤとして“ＳＳＩＤｕＡ”、パスフレーズとして“ａ１ａ１ａ１”が予め設定されている。従って、ユーザーＩＤが“ｕｓｅｒＡ”のユーザーのネットワークデータがアクセスポイント４０に設定されることで、当該ユーザーのモバイル端末１は、当該ユーザーがユーザー認証されることに応じて画像形成装置１０とＷｉ−Ｆｉ  Ｄｉｒｅｃｔにより無線接続されることになる。例えば、モバイル端末１が、近傍の無線ネットワーク装置を検索し、複数のネットワーク装置が検索された場合、モバイル端末１の表示画面には、検索された複数のネットワーク装置のＳＳＩＤが表示される。このような場合、ユーザーは、利用したい画像形成装置に対応したＳＳＩＤを選択してネットワーク接続指示を行う必要があるが、本発明の実施形態の場合、モバイル端末１は、近傍の無線ネットワーク装置のＳＳＩＤが複数検索されても、自身のモバイル端末１に設定されたＳＳＩＤ“ＳＳＩＤｕＡ”と同じＳＳＩＤ“ＳＳＩＤｕＡ”である画像形成装置１０を特定し、この特定された画像形成装置１０との間で機器の認証情報であるパスフレーズを交換することにより、無線接続を確立させる。モバイル端末１と画像形成装置１０の間の通信確立における一連の処理は、自動的に行われるようにしてもよいし、ユーザーに確認を求めつつ処理を進めるようにしてもよい。これにより、ユーザーが利用したい画像形成装置１０に対応するＳＳＩＤを特定して接続処理を開始させたり、認証情報の交換の指示をモバイル端末１と画像形成装置１０のそれぞれで行うという作業を省略することができる。また、モバイル端末１と画像形成装置１０の間の通信プロトコルとしては、Ｗｉ−Ｆｉ  Ｄｉｒｅｃｔに限らず、Ｗｉ−Ｆｉのアドホックモードや、Ｂｌｕｅｔｏｏｔｈ（登録商標）による接続といったモバイル端末１と画像形成装置１０が直接接続される通信方法にも適用可能である。
【００３８】
ところで、ユーザーが別の拠点に移動し、モバイル端末１をその拠点に設置されている画像形成装置１０と無線接続したい場合、上記と同様にして画像形成装置１０にユーザー認証を受ければよい。ここで、別拠点の画像形成装置１０のアクセスポイント４０に設定されるネットワークデータは、上記と同様にディレクトリサーバー２０に設定されている当該ユーザーのネットワークデータである。すなわち、異なる拠点の画像形成装置１０を利用する場合でも同じネットワークデータが設定されることになるため、モバイル端末１には、ディレクトリサーバー２０にて管理されている１つのネットワークデータのみ設定されていればよい。換言すると、モバイル端末１は、ディレクトリサーバー２０にて管理されている１つのネットワークデータのみ設定されていれば、複数の拠点の画像形成装置１０と無線接続される。また、ユーザーが初めて行く拠点の画像形成装置１０に対しても、ディレクトリサーバー２０でユーザー認証されることにより、初めて行く拠点の画像形成装置１０にも当該ユーザーに対応したネットワークデータが設定され、当該ユーザーのモバイル端末１と接続されることになる。
【００３９】
以上説明したように、本実施の形態によれば、自分に割り当てられた１つのネットワークデータをモバイル端末１に設定しておけば、複数の画像形成装置１０に無線接続する際のユーザーの操作が低減される。
【００４０】
なお、本実施の形態では、複数の画像形成装置１０に同じネットワークデータ（上記例ではユーザーＩＤが“ｕｓｅｒＡ”のユーザーに設定されたネットワークデータ）が設定されることになるが、このネットワークデータは複数の画像形成装置１０に共通したネットワークデータではなく、上記のように複数の画像形成装置１０に設定しうる各ユーザーに対して付与されたネットワークデータである。例えば、画像形成装置ＰにユーザーＩＤが“ｕｓｅｒＡ”のユーザーのモバイル端末１が無線接続される際には、画像形成装置ＰにはＳＳＩＤとして“ＳＳＩＤｕＡ”、パスフレーズとして“ａ１ａ１ａ１”が設定される。そして、画像形成装置Ｐとは異なる画像形成装置ＱにユーザーＩＤが“ｕｓｅｒＢ”のユーザーのモバイル端末１が無線接続される際には、画像形成装置ＱにはＳＳＩＤとして“ＳＳＩＤｕＢ”、パスフレーズとして“ｂ２ｂ２ｂ２”が設定される。このように、各画像形成装置Ｐ，Ｑに同じネットワークデータは設定される必要がない。
【００４１】
ところで、上記説明では、一ユーザー（一モバイル端末１）のみが１台の画像形成装置１０と無線接続して利用することが可能になる。ただ、１つのアクセスポイントに複数のＳＳＩＤが設定できるマルチＳＳＩＤ対応のアクセスポイントを用いることで、画像形成装置１０は、複数のモバイル端末１と同時に無線接続することも可能になる。このマルチＳＳＩＤ対応のアクセスポイントへのネットワークデータの設定例を図５に示す。図５には、９チャネル同時接続可能なアクセスポイントへの設定例が示されている。なお、図５において、“−”は未設定を示している。
【００４２】
なお、本実施の形態では、ディレクトリサーバー２０を複数の拠点の外部に設置し、各画像形成装置１０は、インターネットを介してディレクトリサーバー２０とデータ通信を行うことを想定したが、いずれかの拠点の内部に設置してもよい。また、ユーザー認証処理とネットワークデータの提供処理を共に１台のディレクトリサーバー２０を用いて行うようにしたが、異なるサーバーで行うようにしてもよい。
【００４３】
また、本実施の形態では、セキュリティ性の観点からパスワードをユーザーに入力させるようにしたが、ネットワークデータの設定のためには、ユーザーＩＤの入力さえあればよい。また、ユーザーＩＤを入力する代わりに、ユーザーが所持する社員証等のＩＣカードをかざすことによりユーザー情報を入力させるようにしてもよい。例えば、ユーザーが所持するＩＣカードをリーダーにかざすことにより、ディレクトリサーバー２０に認証を要求する構成の場合、ユーザーは自身の所持するＩＣカードを画像形成装置１０に備えられたリーダーにかざす。画像形成装置１０のユーザー認証要求部１１は、ＩＣカードから読み取ったＩＣカードの識別情報のみをディレクトリサーバー２０の認証処理部２１に送信する。認証処理部２１は、受信したＩＣカードの識別情報に基づき、ユーザー情報記憶部２３に記憶されたユーザーの情報と照合する。ユーザー情報記憶部には、ユーザーＩＤとＩＣカードを識別する情報が対応付けられて記憶されているので、認証処理部２１は、受信したＩＣカードの識別情報に対応したユーザーに対し、ユーザー認証が認可されたと判断し、画像形成装置１０のユーザー認証要求部に対し、ＩＣカードをかざしたユーザーの認証が認可された旨を返信ようにしてもよい。
【００４４】
また、本実施の形態においては、無線ネットワーク機器の一形態である画像形成装置１０を含む無線ネットワークシステムを例にして説明したが、画像形成装置１０でなくてもアクセスポイント単体、アクセスポイント機能を内蔵するルーターや、アクセスポイント機能を内蔵する、あるいはアクセスポイント機能搭載機器を備えた情報処理装置等にも適用可能である。
【符号の説明】
【００４５】
１  モバイル端末、２  ネットワーク、１０  画像形成装置、１１  ユーザー認証要求部、１２  ネットワークデータ取得部、１３  設定部、２０  ディレクトリサーバー、２１  認証処理部、２２  ネットワークデータ送信部、２３  ユーザー情報記憶部、３１  ＣＰＵ、３２  アドレスデータバス、３３  操作パネル、３４  スキャナ、３５  ハードディスクドライブ（ＨＤＤ）、３６  プリンタエンジン、３７  ネットワークインタフェース（Ｉ／Ｆ）、３８  ＲＡＭ、３９  ＲＯＭ、４０  アクセスポイント。
【図１】
2018029220.tif 000003
【図２】
2018029220.tif 000004
【図３】
2018029220.tif 000005
【図４】
2018029220.tif 000006
【図５】
2018029220.tif 000007